(57)【要約】【課題】目視判断すること無しに、人による測定差を小さくすることによって、精度の高いベルト角度の測定方法を提供する。【解決手段】側面が所定の角度を有する動力伝動用ベルトで該側面の角度を測定する方法であって、長手方向に沿って半円形の溝１１を有するベルト角度測定用台１３上にベルトの長手方向がベルト角度測定用台１３の長手方向と直角になる様ベルトを固定し、該半円形の溝１１の円弧の半径と略同じ半径を有する一対の第１の球Ａと、第１の球Ａよりも小さい半径を有する一対の第２の球Ｂを用い、該一対の第１の球Ａ及び一対の第２の球Ｂで動力伝動用ベルト１を挟持し、その状態で一対の第１の球Ａ及び第２の球Ｂ間の外側の距離Ｍ１，Ｍ２を計測する動力伝動用ベルトの角度測定方法。【選択図】図３
2006017703.tif 000002
【特許請求の範囲】
【請求項１】
側面が所定の角度を有する動力伝動用ベルトで該側面の角度を測定する方法であって、長手方向に沿って半円形の溝を有するベルト角度測定台上に、ベルトの長手方向がベルト角度測定台の長手方向と直角になる様動力伝動用ベルトを固定し、該半円形の溝の円弧の半径と略同じ半径を有する一対の第１の球と、第１の球よりも小さい半径を有する一対の第２の球を用い、該一対の第１の球及び一対の第２の球で動力伝動用ベルトを挟持し、その状態で一対の第１の球及び第２の球間の外側の距離を計測することを特徴とする動力伝動用ベルトの角度測定方法。
【発明の詳細な説明】
【技術分野】
【０００１】
本発明は、動力伝動用ベルトの角度測定方法に係り、ベルト角度を正確に測定する方法に関する。
【背景技術】
【０００２】
従来、Ｖベルトの角度は、図４及び図５のように、１度単位のＶバーニアゲージ２１をベルト１に当て検査している。ベルト１下部に隙間ができる場合はベルト角度が大きい、ベルト上部に隙間ができる場合は角度が小さいと判定している。
又、図８のように抜き取り検査で、投影機でベルト断面を投影し、角度測定をしている。さらに、図１０のようにプロトラクターを使用して角度測定をしている場合もあった。
【０００３】
しかし、従来のＶバーニアゲージ２１では１度単位でしか測定できず、±１度を測定する精度がない。ベルト側面は心線が飛び出ており、さらに図６及び図７のように帆布が変形しているものもあり、ゲージに正確に当たらない。人による差も出てしまっていた。
【０００４】
投影機での測定も、図９のようにゴム側面が直線でなく、線のとり方によっても変わり、これも人による差が出ていた。
【０００５】
プロトラクターも、ベルト側面に凹凸があることから、ベルトを押える力によって変わり、人による差が出ていた。
【発明の開示】
【発明が解決しようとする課題】
【０００６】
本発明は、目視判断すること無しに、人による測定差を小さくすることによって精度の高いベルト角度の測定方法を提供するものである。
【課題を解決するための手段】
【０００７】
本発明は、側面が所定の角度を有する動力伝動用ベルトで該側面の角度を測定する方法であって、長手方向に沿って半円形の溝を有するベルト角度測定用台上に、ベルトの長手方向がベルト角度測定用台の長手方向と直角になる様動力伝動用ベルトを固定し、該半円形の溝の円弧の半径と略同じ半径を有する一対の第１の球と、第１の球よりも小さい半径を有する一対の第２の球を用い、該一対の第１の球及び一対の第２の球で動力伝動用ベルトを挟持し、その状態で一対の第１の球及び第２の球間の外側の距離を計測する動力伝動用ベルトの角度測定方法である。
【発明の効果】
【０００８】
本発明によると、側面が所定の角度を有する動力伝動用ベルトで該側面の角度を測定する方法であって、長手方向に沿って半円形の溝を有するベルト角度測定用台上に、ベルトの長手方向が角度測定台の長手方向と直角になる様動力伝動用ベルトを固定し、該半円形の溝の円弧の半径と略同じ半径を有する一対の第１の球と、第１の球よりも小さい半径を有する一対の第２の球を用い、該一対の第１の球及び一対の第２の球で動力伝動用ベルトを挟持し、その状態で一対の第１の球及び第２の球間の外側の距離を計測する動力伝動用ベルトの角度測定方法であることから、目視ではなく、機械的にベルト角度を測定することによって、精度の高いベルト角度の測定方法となるという効果がある。
【発明を実施するための最良の形態】
【０００９】
本発明の測定方法は、主にカットエッジタイプのＶベルト１に使用される。図１に示されるＶベルト１は心線３を埋設した接着ゴム層５と圧縮ゴム層７とから構成され、更に上記接着ゴム層５及び圧縮ゴム層７の各表面層にゴム付帆布９を積層している。そして、ベルトはベルト角度θを有している。
【００１０】
本発明のベルト角度測定方法では図２のように、長手方向に沿って半円形の溝１１が刻設されたベルト角度測定用台１３を用いる。そして、ベルトはその長手方向が該ベルト角度測定用台１３の長手方向と直角になるようにベルト角度測定用台１３に固着させる。このとき、動力伝動用ベルト１は、該溝１１に埋没することなく、該ベルト角度測定用台１３の平面部分１５上に載置される。
【００１１】
そして、動力伝動用ベルト１をベルト角度測定用台１３に固着し、図３のようにベルト側面１７に一対の球Ａ、及びＡよりも半径が小さい球Ｂを挟むようにしてベルト側面１７に押付ける。球Ａ及びＢは、溝１１内に載置する。このとき、球Ａの半径を該ベルト角度測定用台１３の溝１１の半径と略同一とすることによって、球Ａは、溝１１と密接する状態となる。又、球Ａと球Ｂの底部の位置は、同じとなる。球Ａと球Ｂの材質は、金属であれば良いが、鋼球が好ましい。
【００１２】
そして、動力伝動用ベルト１を挟んだ状態で球Ａ間の距離Ｍ２及び球Ｂ間の距離Ｍ１をノギスにて測定する。そして、次式にて、ベルトの半角θ／２を計算し、ベルト角度θを求める。
【式１】
【００１３】
ｔａｎθ／２＝［｛（Ｍ２−２ｄ２）−（Ｍ２−２ｄ１）｝／２］／｛（ｄ２−ｄ１）／２｝
ここで、ｄ２：球Ａの直径  ：ｄ１：球Ｂの直径
【図面の簡単な説明】
【００１４】
【図１】本発明の対象となるＶベルトの概略断面図である。
【図２】本発明に係るベルト角度測定方法で、ベルト角度測定用台上に動力伝動用ベルトを載置した図である。
【図３】本発明の動力伝動用ベルトの角度測定方法を示した図である。
【図４】従来の動力伝動用ベルトの角度測定方法であり、Ｖバーニアゲージを用いたものである。
【図５】従来の動力伝動用ベルトの角度測定方法であり、Ｖバーニアゲージを用いたものである。
【図６】従来の動力伝動用ベルトの角度測定方法であり、Ｖバーニアゲージを用いたものであって、帆布が変形したものを測定した図である。
【図７】従来の動力伝動用ベルトの角度測定方法であり、Ｖバーニアゲージを用いたものであって、帆布が変形したものを測定した図である。
【図８】従来の動力伝動用ベルトの角度測定方法であり、投影機を用いた方法を示した概略図である。
【図９】従来の動力伝動用ベルトの角度測定方法であり、投影機を用いたものであって、ベルトのゴム側面が直線ではないものを測定している図を示す。
【図１０】従来の動力伝動用ベルトの角度測定方法であり、プロトラクターを用いたものである。
【符号の説明】
【００１５】
１    Ｖベルト
３    心線
５    接着ゴム層
７    圧縮ゴム層
９    ゴム付帆布
１１    溝
１３    ベルト角度測定用台
１５    平面部分
１７    ベルト側面
θ    ベルト角度
Ａ    球
Ｂ    球
【図１】
2006017703.tif 000003
【図２】
2006017703.tif 000004
【図３】
2006017703.tif 000005
【図４】
2006017703.tif 000006
【図５】
2006017703.tif 000007
【図６】
2006017703.tif 000008
【図７】
2006017703.tif 000009
【図８】
2006017703.tif 000010
【図９】
2006017703.tif 000011
【図１０】
2006017703.tif 000012